(57)【要約】      （修正有）【課題】既製ワイシャツは、首廻りの長さと裄丈の組合せを、首廻りは１糎ごとに、裄丈は２糎ごとに区分して組み合せて作られている場合が多く、、人の体格をＳ、Ｍ、Ｌ、ＬＬに分けて各１サイズ乃至３サイズを置いているのみで、標準的な体格以外の人は袖丈が合わない場合が多い。【解決手段】ワイシャツと袖口とカフスとの縫い合せは、ワイシャツ製造の最終工程であるから、この工程を既製紳士服のズボンの裾のように簡単に販売店で縫えるようにする。  即ち、袖の長さを標準より長く作って置き、袖口の近くを円筒状に縫って置く。客は、生地質、織柄、染柄など好みのものゝ内から、首廻りサイズの合うものを選ぶ。店は、カフスの仕付け縫いをほぐして、客の裄丈に合せて袖を切り詰め、袖口とカフスを本縫いし、タックの仕付け縫いをほぐせば作業は完了する。【選択図】図２
2008214839.tif 000002
【特許請求の範囲】
【請求項１】
半既製ワイシャツの首廻りの長さと裄丈の組合せにおいて、首廻りの一つのサイズに対応する裄丈を標準品より長く製作して置き、別に作ったカフスは、仕付け縫で仮に付けて置く。販売業者は、客の求めに応じて仕付け縫いをほぐし、客の裄丈に合せて袖の長さを決め、袖口とカフスとを縫い合せ、仕立てを完了させるワイシャツの袖の長さの調節法。
【発明の詳細な説明】
【技術分野】
【０００１】  本発明は、主として成年男子が着用するワイシャツや、カジュアルシャツ（以下「ワイシャツ」という）の袖の長さを店頭で、店員が又は購入者自身が自宅で容易に調節し得る技術に関する。
【背景技術】
【０００２】  ワイシャツの袖の長さを調節する技術としては、一時的な方法として、ゴム紐を調節可能なリング状にして、袖を二の腕にたくし上げ軽く締めて、カフスを引っ張って上着の袖の長さと合せる方法と、長さ５〜６糎の帯状のゴム紐の両端に係止金具を設け、係止金具間の長さより長く袖をたくし上げ、二の腕あたりにつけた係止金具の間に、袖たるみを持たせ、ワイシャツのカフスと服の袖口とを合せ係止金具を留める２例が古くから行われているが、前者は着用の都度合せ直す必要があり、後者は洗濯の都度合せ直す必要がある。【０００３】  現今、既製ワイシャツ製造業者（以下「製造業者」という）は、首廻りの長さと裄（ゆき）（後首筋の中央から肩越しに手のくるぶしまでをいう）の長さは、首廻りは１糎ごとに、裄丈は２糎ごとに区分し、組み合せたサイズのものを製造販売している。
既製服量販店では、ほとんどの組合せサイズを販売しているが、一般の洋品店、デパート、スーパー等では、人の体形をＳ、Ｍ、Ｌ、ＬＬに分ち、売れ筋の若い人の標準体形のサイズのみを置き、中高年者に多い裄丈７５糎以下は置いていない処が多い。インターネットの通販などでは、廉価ではあるが、首廻り３９糎、裄丈８０糎のみで、Ｓ、Ｍ，Ｌ、ＬＬの区分すらない。又、裄丈２糎飛びは製造業者の都合であって、１糎飛びが望ましい。【０００４】  分類をワイシャツだけに絞ると、先行技術は見当らないので、分類を広げて背景技術を調べれば、ドレスについて各パーツを未縫製のまゝセットとして販売し、購入者が所望のデザインを選択して縫製仕立てでできるようにしたものと、完成した下着を購入者が任意な形状に自由にカットして着用できる縫製加工技術不用な下着の提案がなされている。（前者特許文献１、後者特許文献２参照）。
【特許文献１】特開平８−２０９４２４号公報
【特許文献２】特開２００５−１３３２６４号公報
【発明の開示】
【発明が解決しようとする課題】
【０００５】  本発明が解決しようとする問題点は、人の首廻りのサイズに対して、腕の長さは必ずしも比例せず、首廻りは胸囲や胴廻りに比例し、裄丈は身長に比例する。例えば、首廻り４０糎の人でも裄丈７０糎位の短い人もいれば、同じ首廻りでも背丈の高い人は裄丈８５糎位の人もいる。【０００６】  従って、製造業者は、生地質、織柄、染柄の一品種ごとに数十通りの組合せサイズの異なる製品を製造しなければならない。【０００７】  消費者は、袖丈の短いものを購入してしまった場合は、我慢して着用し続ける以外に方法はなく、長すぎたものを購入してしまった場合は、カフスを折り返して使用するか前述の調整器具を用いて着用するか、修繕業者に袖丈詰めを頼めば新たに買うよりも高くつき、自家で袖丈を詰めようとしてもミシン目が細かくてうまくほぐせず、結局体裁が悪くても二の腕あたりで縫い縮めることになる。
標準体形以外の人が丁度良いサイズのワイシャツを注文して作ろうとすると、オーダーワイシャツは、既製ワイシャツに比べ極めて高価である。
【課題を解決する為の手段】
【０００８】  既製ワイシャツ販売時に、既製紳士服のズボンの裾上げのように容易に長さを変えることができれば、課題は解決することができるから、本発明では袖丈を販売時に変えられる方法を採った。
【０００９】  詳述すれば、ワイシャツを作るには、ほゞ完成している身頃に袖布を縫い付け、次で袖布を筒状に縫い合せ、カフスは別個に作り、最後に袖本体の先端（以下「袖口」という）をカフスに差し込み、縫い合せるのである。
【００１０】  本発明においては、製造業者は、首廻り１サイズにつき、裄丈との組合せのうち最も長い袖丈のもののみをカフスと共に販売するか、流通の段階でカフスの紛失や混乱を避けるために、カフスを袖の一部に仮に仕付け縫いしたものを販売すれば良い。
【００１１】  販売店は、客の裄丈を測り、どの位詰めれば良いかを割り出し、袖口を必要な長さだけ切り詰めてカフスに嵌め、本縫いすればよい。
このような作業は、紳士服量販店では客が待っている間に店内でできるし、一般洋品店でもミシンの直線縫いさえできる店員が居れば、仕付け縫いした後本縫いすれば容易に仕立てられる。
【発明の効果】
【００１２】  本発明を実施すれば、製造業者は、品種数が数分の一となり、一品種の製造数は数倍となり、作業効率は著しく向上する。
流通業者は、在庫量が数分の一となり、管理が容易となる。
消費者は、首廻りのサイズだけを見て購入すれば、カフスの縫い合せに暫時待つだけで、体に合ったサイズのワイシャツが安価で入手できる。
【発明を実施する為の最良の形態】
【００１３】  ワイシャツ製造の最終工程である袖口とカフスの縫い合せは、浅い袋状に作ったカフスで袖口を挟み、縫い合せるのであるが、本発明においては、カフスを袖などに仮に仕付け縫いして置くだけであるから、たやすく解きほぐし所要の寸法に袖口を切り詰めて、カフスに嵌め込んで本縫いすることにより、所望の裄丈のサイズのワイシャツを得ることができる。
【００１４】  前述の仕付け縫いについて詳述すれば、ミシンの上糸の調子の調整部を最も強くすると、図４のように縫える。一応は縫えているが、上糸６を引っ張ると容易に引き抜くことができ、次で下糸７を引っ張ると縫い合せは解け、カフスを外すことができる。
【００１５】  ワイシャツ販売店で、客は、自分の首の太さのワイシャツを選び、裄丈を測って貰い、店員が仕付け縫いをほどき、袖口を切り詰め、本縫いができるのを待てばよい。
【００１６】  自宅にミシンがある者は、本発明のワイシャツを買って自分で仕付け縫いし、本縫いすることにより、注文シャツ同様の体にぴったり合ったサイズのワイシャツを更に安く入手することができる。
【図面の簡単な説明】
【００１７】
【図１】  袖口にカフスを仕付け縫をした袖の平面図
【図２】  カフスを外し袖口附近を中途まで切った袖の平面図
【図３】  袖口にカフスを本縫した袖の平面図
【図４】  仕付け縫の拡大断面図
【符号の説明】
【００１８】  １  袖本体
２  袖口
３  カフス
４  仕付け縫
５  本縫
６  上糸
７  下糸
８  仕付けをした生地
【図１】
2008214839.tif 000003
【図２】
2008214839.tif 000004
【図３】
2008214839.tif 000005
【図４】
2008214839.tif 000006